(57)【要約】【課題】不正使用による着脱が困難な安全性の高い新規な容器用吐出器を提供する。【解決手段】内容物を吐出するポンプ機構Pと、該ポンプ機構Pを容器50の口部51に取り外し可能にねじ付ける装着筒11とを備える容器用吐出器10において、前記装着筒11の下端部を、工具を嵌める外観形状を有する嵌め合い部19に構成するとともに、前記ポンプ機構Pの上端部材15に、前記装着筒11を取り囲むカバー20を相対回転自在に抜け止め保持し、前記カバー20に、上方に反転することで前記カバー20を上方に移動させて前記嵌め合い部19を露出させる反転部20bを設ける。【選択図】図１
2014008992.tif 000002
【特許請求の範囲】
【請求項１】
内容物を吐出するポンプ機構と、該ポンプ機構を容器の口部に取り外し可能にねじ付ける装着筒とを備える容器用吐出器において、
前記装着筒の下端部を、工具を嵌める外観形状を有する嵌め合い部に構成するとともに、
前記ポンプ機構の上端部材に、前記装着筒を取り囲むカバーを相対回転自在に抜け止め保持し、
前記カバーに、上方に反転することで前記カバーを上方に移動させて前記嵌め合い部を露出させる反転部を設けたことを特徴とする容器用吐出器。
【請求項２】
前記カバーの内周面に径方向内側へ張り出す凸部を設け、前記装着筒の外周面に、前記凸部に係合して前記カバーの上方および下方それぞれへの反転を阻止する突出部を設けた請求項１に記載の容器用吐出器。
【請求項３】
前記カバーの内周面に径方向内側へ張り出す凸部を設け、前記装着筒の外周面に、前記凸部に係合して前記カバーの上方への反転を阻止する、上面が傾斜した突出部を設けた請求項１に記載の容器用吐出器。
【請求項４】
請求項１に記載の容器用吐出器の工具であって、
前記カバーの上方への反転により露出した前記嵌め合い部に嵌合するプレート部を有し、
前記プレート部に、前記カバーを側方から取り付ける開放部が形成されたバンド部が一体に設けられていることを特徴とする工具。
【請求項５】
前記工具は、前記プレート部の先端に、前記カバーの下端部と前記容器の肩部との間に挿入することによって前記カバーを上方に移動させるテーパ部を有する請求項４に記載の工具。
【請求項６】
前記工具の前記バンド部の上端部に、前記工具の前記プレート部を前記嵌め合い部に嵌合した状態で、前記ポンプ機構の上端部材の環状肩部に上方から当接する内向きフランジを径方向内側に延設した請求項４または５に記載の工具。
【発明の詳細な説明】
【技術分野】
【０００１】
本発明は、シャンプーやリンス、整髪料等の内容物を収容する容器の口部に取り外し可能に取り付けられて、該内容物を吐出する容器用吐出器およびこれに用いる工具に関する。
【背景技術】
【０００２】
本出願人は、従来の容器用吐出器として、店頭での陳列やホテル等の施設に据え置かれるときに、内容物が入れ替えられたり、抜き取られたりする等の悪戯を想定し、こうした不正使用を防止する対策として、容器に対するねじ付け部分にラチェット機構を設けたものを提案済みである（例えば、特許文献１参照）。
【先行技術文献】
【特許文献】
【０００３】
【特許文献１】特開２００４−３４４８２２号公報
【発明の概要】
【発明が解決しようとする課題】
【０００４】
しかしながら、様々なニーズに応じて、新たな容器用吐出器を提案していくことが重要であることも事実である。
【０００５】
本発明は、不正使用による着脱が困難な安全性の高い新規な容器用吐出器を提供することを目的とする。
また、本発明は、そのような容器用吐出器の着脱に適し、容器用吐出器の着脱を容易化できる工具を提供することを目的とする。
【課題を解決するための手段】
【０００６】
すなわち、本発明の要旨構成は以下のとおりである。
１．内容物を吐出するポンプ機構と、該ポンプ機構を容器の口部に取り外し可能にねじ付ける装着筒とを備える容器用吐出器において、
前記装着筒の下端部を、工具を嵌める外観形状を有する嵌め合い部に構成するとともに、
前記ポンプ機構の上端部材に、前記装着筒を取り囲むカバーを相対回転自在に抜け止め保持し、
前記カバーに、上方に反転することで前記カバーを上方に移動させて前記嵌め合い部を露出させる反転部を設けたことを特徴とする容器用吐出器。
【０００７】
２．前記カバーの内周面に径方向内側へ張り出す凸部を設け、前記装着筒の外周面に、前記凸部に係合して前記カバーの上方および下方それぞれへの反転を阻止する突出部を設けた上記１の容器用吐出器。
【０００８】
３．前記カバーの内周面に径方向内側へ張り出す凸部を設け、前記装着筒の外周面に、前記凸部に係合して前記カバーの上方への反転を阻止する、上面が傾斜した突出部を設けた上記１の容器用吐出器。
【０００９】
４．上記１の容器用吐出器の工具であって、
前記カバーの上方への反転により露出した前記嵌め合い部に嵌合するプレート部を有し、
前記プレート部に、前記カバーを側方から取り付ける開放部が形成されたバンド部が一体に設けられていることを特徴とする工具。
【００１０】
５．前記工具は、前記プレート部の先端に、前記カバーの下端部と前記容器の肩部との間に挿入することによって前記カバーを上方に移動させるテーパ部を有する上記４の工具。
【００１１】
６．前記工具の前記バンド部の上端部に、前記工具の前記プレート部を前記嵌め合い部に嵌合した状態で、前記ポンプ機構の上端部材の環状肩部に上方から当接する内向きフランジを径方向内側に延設した上記４または５の工具。
【発明の効果】
【００１２】
本発明によれば、嵌め合い部をカバーで覆い隠すことができ、嵌め合い部に適合する工具を持たない第三者は、カバーの反転部を上方に反転させて嵌め合い部を露出させたとしても、装着筒を回転させることができない一方で、工具を所持する管理者は、露出した嵌め合い部に工具を嵌合させて装着筒を回転させることができるので、不正使用による着脱が困難な安全性の高い新規な容器用吐出器を提供することができる。
また、本発明によれば、そのような容器用吐出器の着脱に適し、容器用吐出器の着脱を容易化できる工具を提供することができる。
【図面の簡単な説明】
【００１３】
【図１】本発明の容器用吐出器の一実施の形態であって、容器に取り付けた状態を一部断面で示す側面図である。
【図２】図１の容器用吐出器のカバーを上方へ反転させた状態を一部断面で示す側面図である。
【図３】本発明の容器用吐出器の他の実施の形態であって、容器に取り付けた状態を一部断面で示す側面図である。
【図４】本発明の容器用吐出器のさらなる他の実施の形態であって、容器に取り付けた状態を一部断面で示す側面図である。
【図５】本発明の容器用吐出器の工具の一実施の形態を示す図であって、（ａ）は平面図、（ｂ）は（ａ）のＡ−Ａ断面図である。
【図６】本発明の容器用吐出器の工具の他の実施の形態を示す図であって、（ａ）は平面図、（ｂ）は（ａ）のＡ−Ａ断面図である。
【図７】図６の工具を図３の容器用吐出器に嵌合させた状態を一部断面で示す側面図である。
【図８】本発明の容器用吐出器の工具のさらなる他の実施の形態を示す図であって、（ａ）は平面図、（ｂ）は（ａ）のＡ−Ａ断面図である。
【図９】図８の工具を図４の容器用吐出器に嵌合させた状態を一部断面で示す側面図である。
【発明を実施するための形態】
【００１４】
以下、図面を参照して、本発明の実施の形態を詳細に説明する。
【００１５】
まず、本発明に係る容器用吐出器の一実施の形態について、図１および図２を用いて説明する。
本実施の形態の容器用吐出器（以下、吐出器ともいう）１０は、図１に示したように、装着キャップ（装着筒）１１と、これに保持されるポンプ機構Ｐとがユニット化された構成となっている。吐出器１０は、容器５０に取り付けられ、容器５０とともにポンプ容器６０を構成する。
【００１６】
装着キャップ１１は、容器５０の口部５１を周方向に取り囲む周壁１１ａを有する。周壁１１ａの内側には、ねじ部１１ｓが形成されている。これにより、装着キャップ１１は、口部５１に形成したねじ部５０ｓに対して取り外し可能にねじ付けられる。
【００１７】
この吐出器１０が取り付けられる容器５０は据え置き型となっており、装着キャップ１１よりも大径の有底筒状の容器本体５０ａを備えている。容器本体５０ａには、例えば、シャンプーやリンス、整髪料等の内容物が収容される。容器５０は、容器本体５０ａの上端側が口部５１に向けて徐々にその径を縮小するように湾曲する半球面状に形成されている。また、口部５１と容器本体５０ａとの間には肩部５０ｂが設けられており、この肩部５０ｂの中心（軸心）に口部５１が設けられている。肩部５０ｂは、装着キャップ１１の径方向に対して僅かに下向きに傾斜する円錐面に構成されている。
【００１８】
ポンプ機構Ｐはシリンダ１２を有し、シリンダ１２の下端には容器５０の底まで延びる吸入パイプが固定されている。シリンダ１２の内側には、吸入パイプの上方にポペットが配置されている。ポペットの内側には、吸入パイプを通して容器５０から吸入された内容液を導入する吸入弁が設けられている。また、ポペットには、吸入弁から導入された内容液をシリンダ１２内に導入する開口通路が形成されている。シリンダ１２内には、スプリング等の弾性部材１３が、その軸方向に沿って配置されている。弾性部材１３は、ポペットを介してピストン１４を弾支する。ピストン１４は、シリンダ１２の内側に摺動可能に配置されている。ピストン１４には、ステムシャフト１４ａが一体に設けられている。
【００１９】
シリンダ１２の上端開口は、ポンプリング１５によって閉じられている。ポンプリング１５は、ポンプ機構Ｐの上端部材（リング部材）であって、その内側にステムシャフト１４ａを摺動可能に保持している。また、ポンプリング１５を貫通するステムシャフト１４ａの上端には、ノズルヘッド１６が固定されている。ステムシャフト１４ａには、上述した開口通路をノズルヘッド１６に通じさせる流路ｒ２が形成されている。更に、ステムシャフト１４ａの内側には、排出弁１７が配置されている。これにより、ポンプ機構Ｐが形成され、ヘッド１６ａの押し下げと復帰を繰り返せば、ノズルヘッド１６に設けられたノズル１６ｂから内容液を吐出させることができる。
【００２０】
ポンプリング１５は、シリンダ１２の内周面に嵌合する内筒部１５ａを有する。内筒部１５ａは、上述の通り、ステムシャフト１４ａを摺動可能に保持する。また、ポンプリング１５は、内筒部１５ａと同心円状に外筒部１５ｂを有する。内筒部１５ａと外筒部１５ｂとの間には、シリンダ１２の上端部１２ａが配置されている。シリンダ１２の上端部１２ａは、抜け止め部Ｃによってポンプリング１５の外筒部１５ｂに抜け止め保持されている。抜け止め部Ｃとしては、例えば、図示のように、上端部１２ａの外周面に形成された環状の凸（凹）と、外筒部１５ｂの内周面に形成された環状の凹（凸）とを上下方向から嵌合させた凹凸嵌合が挙げられる。また、シリンダ１２の上端部１２ａは、回り止め部Ｓによってポンプリング１５の内筒部１５ａに対して回り止めされている。回り止め部Ｓとしては、例えば、図示のように、上端部１２ａの内周面に沿って周方向に形成した縦リブ（スプライン（スプライン溝））と、ポンプリング１５の内筒部１５ａの外周面に沿って周方向に形成した縦リブ（スプライン溝（スプライン））との噛み合いによるスプライン嵌合が挙げられる。これにより、シリンダ１２とポンプリング１５は、互いに軸線Ｏ周りを空転することなく、一体に結合される。また、ポンプリング１５の外周部１５ｃには、ねじ部１５ｄが一体に形成されている。ねじ部１５ｄは、ノズルヘッド１６のヘッド１６ａの内側に形成されたねじ部１６ｓに取り外し可能にねじ付けることができる。また、ポンプリング１５の外周部１５ｃの下端外周部には、軸線Ｏ周りを周回する環状肩部１５ｅが一体に形成されている。環状肩部１５ｅには、その外周縁から一体に垂下する環状壁部１５ｆが形成されている。
【００２１】
シリンダ１２には、その外周面から径方向外側に突出するとともに、軸線Ｏ周りを周回する円板状のフランジ１２ｂが一体に形成されている。フランジ１２ｂは、口部５１にねじ付けられた装着キャップ１１の天壁１１ｂと口部５１との間に挟み込まれている。これにより、ポンプ機構Ｐは装着キャップ１１により容器５０の口部５１に固定されている。つまり、装着キャップ１１によって、ポンプ機構Ｐを容器５０の口部５１に取り外し可能にねじ付けている。
【００２２】
本実施の形態では、フランジ１２ｂには、パッキン等の環状のシール部材１８が設けられている。シール部材１８は、吐出器１０を容器口部５１に取り付けたとき、吐出器１０と容器口部５１との間を密封する。
【００２３】
装着キャップ１１の下端部には、工具を嵌める外観形状を有する嵌め合い部１９が設けられている。嵌め合い部１９は、径方向に突き出した多数の平面で構成された外観形状を有する。本実施の形態では、嵌め合い部１９は、正八角形の板状の外観形状、つまり８つの平面で構成された薄い八角柱状の外観形状を有する。これにより、嵌め合い部１９の外観形状に合った八角スパナ等の工具を嵌め合い部１９に嵌めて軸線Ｏ周りに回すことにより、装着キャップ１１を容器５０の口部５１にねじ付け、または緩めることができる。
【００２４】
ポンプリング１５にはカバー２０が取り付けられている。カバー２０は、円筒状のカバー本体２０ａを備え、このカバー本体２０ａの上端には、反転部２０ｂが一体に設けられている。反転部２０ｂは、カバー本体２０ａの径方向に対して僅かに下向きに傾斜する円錐面に構成されている。反転部２０ｂの内周縁は、ポンプリング１５の環状壁部１５ｆの外周面から僅かに隙間をあける段差部２０ｃを介して環状止め部２０ｄに連続している。環状止め部２０ｄは、その上面がポンプリング１５の環状壁部１５ｆの底面から僅かに隙間をあけて配置されている。また、環状止め部２０ｄの底面は、装着キャップ１１の天壁１１ｂの上面に当接している。これにより、装着キャップ１１は、ポンプリング１５に、軸線Ｏを中心として相対回転自在に抜け止め保持されている。また、カバー２０は、ポンプリング１５に対して相対回転自在であるだけでなく、装着キャップ１１に対しても軸線Ｏを中心として相対回転自在となっているので、カバー２０を回転させても、ポンプ機構Ｐや装着キャップ１１は回転しない。
【００２５】
また、反転部２０ｂは、その厚みをカバー本体２０ａおよび環状止め部２０ｄよりも薄くして弾性変形自在とすることによって、反転部２０ｂを上方へ反転できるようにしている。図示した例では、反転部２０ｂは、カバー本体２０ａの内側に沿って全周に渡って設けられている。なお、反転部２０ｂは、全周一体の構成に限らず、切欠きにより、周方向に複数に分割された構成とすることもできる。この場合、それぞれの反転部２０ｂは上下方向に弾性変形し易くなるので、反転部２０ｂを反転させ易くなる。
【００２６】
図２に示したように、反転部２０ｂを上方へ反転させることにより、カバー本体２０ａを上方に移動させて嵌め合い部１９を露出させることができる。つまり、カバー本体２０ａが、嵌め合い部１９を残して、装着キャップ１１を取り囲んだ状態とすることができる。このとき、容器５０の肩部５０ｂは、装着キャップ１１の径方向に対して僅かに下向きに傾斜する円錐面に構成されているので、カバー本体２０ａの下端と肩部５０ｂとの隙間は小さくなっている。そして、嵌め合い部１９は、カバー本体２０ａと肩部５０ｂとの間において、カバー本体２０ａの外周面よりも径方向内側に配置されているので、当該隙間の内部に配置される嵌め合い部１９を、手や指で直接回転操作することはできず、回転操作するためには嵌め合い部１９の外観形状に合った八角スパナ等の工具が必要となる。
【００２７】
上述した通り、本実施の形態では、装着筒１１の下端部を、工具を嵌める外観形状を有する嵌め合い部１９に構成するとともに、ポンプ機構Ｐのポンプリング１５に、装着筒１１を取り囲むカバー２０を相対回転自在に抜け止め保持し、カバー２０に、上方に反転することでカバー２０を上方に移動させて嵌め合い部１９を露出させる反転部２０ｂを設けるようにしたので、嵌め合い部１９をカバー２０で覆い隠すことができ、嵌め合い部１９に適合する工具を持たない第三者は、カバー２０の反転部２０ｂを上方に反転させて嵌め合い部１９を露出させたとしても、装着筒１１を回転させることができない。つまり、カバー２０を回転させても、ポンプリング１５や装着キャップ１１は回転しないので、吐出器１０を容器５０から取り外すことができない。
【００２８】
これに対し、工具を所持する管理者は、図２に示したように、反転部２０ｂを上方へ反転させて嵌め合い部１９を露出させれば、カバー２０の下側から工具を差し入れて嵌め合い部１９に工具を嵌め合わせることで、装着キャップ１１を時計回りまたは反時計回りに軸線Ｏ周りに回転させることができる。そして、装着キャップ１１を回転させることにより、吐出器１０を容器５０から取り外し、または容器５０に取り付けることができる。
【００２９】
このように、本実施の形態によれば、工具を持った管理者のみが、容器５０に対する吐出器１０の着脱を行うことができるので、この吐出器１０を、不正使用による着脱が困難な安全性の高いものとすることができる。
【００３０】
次に、本発明に係る容器用吐出器の他の実施の形態について、図３を用いて説明する。本実施の形態の吐出器１００は、図示したように、凸部４１および突出部４２を設けたこと以外は、図１および図２を用いて説明した吐出器１０と同一の構成を有する。図３に示したように、凸部４１は、カバー本体２０ａの内周面に径方向内側へ張り出す凸部として形成されている。また、突出部４２は、装着筒１１の外周面に、凸部４１に係合してカバー２０の上方および下方それぞれへの反転を阻止する突出部として形成されている。すなわち、図示したようにカバー２０が下方に反転している状態で、突出部４２の下側の角部が凸部４１に当接するとともに、カバー２０が上方に反転した状態では、突出部４２の上側の角部が凸部４１に当接するようになっている。なお、本実施の形態では、凸部４１を軸線Ｏ回りに周回する突条として形成する一方で突出部４２は局部的な突起として形成しているが、これに限られず、突出部４２を軸線Ｏ回りに周回する突条として形成するとともに凸部４１を局部的な突起として形成してもよいし、凸部４１および突出部４２の双方を軸線Ｏ回りに周回する突条として形成してもよい。また、凸部４１および突出部４２の一方を局部的な突起とする代わりに、軸線Ｏ回りに間欠的に配置された突起の配列とすることもできる。さらに、凸部４１の断面形状は図示したような円弧状に限られず、角形等とすることもできる。
【００３１】
上述した本実施の形態によれば、凸部４１と突出部４２の係合によってカバー２０の上方への反転を阻止することができるため、嵌め合い部１９が容易に露出されないようにして、第三者が、嵌め合い部１９の存在に気づく可能性を低減することができる。また、本実施の形態によれば、凸部４１と突出部４２の係合によってカバー２０の下方への反転を阻止することができるため、工具を用いて吐出器１００を容器５０から取り外した後、再度容器５０に取り付ける際に、カバー２０が上方に反転した状態が維持されているので、工具を用いて吐出器１００を回転させる作業を容易にすることができる。
【００３２】
次に、本発明に係る容器用吐出器のさらなる他の実施の形態について、図４を用いて説明する。
本実施の形態の吐出器１０１は、図示したように、突出部を上面が傾斜した突出部４３、すなわち、上側角部を面取り部４３ａとした突出部４３としたこと以外は、図３を用いて説明した吐出器１００と同一の構成を有する。なお、本実施の形態でも、図３を用いて説明した吐出器１００の場合と同様に、突出部４３を軸線Ｏ回りに周回する突条として形成するとともに凸部４１を局部的な突起として形成してもよいし、凸部４１および突出部４３の双方を軸線Ｏ回りに周回する突条として形成してもよい。また、凸部４１および突出部４３の一方を局部的な突起とする代わりに、軸線Ｏ回りに間欠的に配置された突起の配列とすることもできる。さらに、凸部４１の断面形状は図示したような円弧状に限られず、角形等とすることもできる。
【００３３】
上述した本実施の形態によれば、図４に示したように、突出部４３の上面が傾斜しているので、凸部４１が突出部４３を下方へ乗り越え易くなる。したがって、工具を用いて吐出器１０１を容器５０に取り付けた後に、工具を取り外すだけで、カバー２０が自重および反転部の弾性力によって下方に反転し、嵌め合い部１９を覆い隠した状態に戻すことができるので、吐出器１０１の容器５０への取り付け作業を容易にすることができる。また、本実施の形態によれば、突出部４３の下面は水平になっているので、凸部４１が突出部４３を上方へは簡単に乗り越えることができない。したがって、凸部４１と突出部４３の係合によってカバー２０の上方への反転を阻止することができるため、嵌め合い部１９が容易に露出されないようにして、第三者が、嵌め合い部１９の存在に気づく可能性を低減することができる。
【００３４】
次に、本発明に係る容器用吐出器の工具の一実施の形態について、図５（ａ）および図５（ｂ）を用いて説明する。
図５（ｂ）は図５（ａ）のＡ−Ａ断面図である。本実施の形態の工具３０は、図５に示したように、切欠き部３０ａが形成されたプレート部３１を有する。切欠き部３０ａは、嵌め合い部１９の上述した８つの平面のうちの５つの平面に対応する５つの平面３１ｂで形作られている。また、プレート部３１は、上方に反転させた状態のカバーの下端と肩部との間の隙間に差し込むことが可能な厚みを有する。
【００３５】
プレート部３１にはバンド部３２が一体に設けられている。バンド部３２は、カバーを取り囲むように軸線Ｏ周りに延在し、バンド部３２の末端３２ｅは、カバーを側方から取り付ける開放部３２ｃを形成する。また、バンド部３２の末端３２ｅは、径方向外側に湾曲している。
【００３６】
上述した本実施の形態の工具３０によれば、上方に反転させた状態のカバーの下端と肩部との間の隙間に工具３０のプレート部３１の先端を差し込み、工具３０をカバーに向かって押し込めば、嵌め合い部１９にプレート部３１の切欠き部３０ａを嵌合させるとともに、開放部３２ｃにカバーを取り付けることができる。なお、開放部３２ｃにカバーを取り付ける際に、カバーをバンド部３２の湾曲した末端３２ｅで開放部３２ｃ内に案内することができるので、取り付け作業を容易にすることができる。また、工具３０を指でつまむ際に、バンド部３２の湾曲した末端３２ｅが指にフィットするので、工具３０の取り付け作業および取外し作業が容易になる。
【００３７】
次に、本発明に係る容器用吐出器の工具の他の実施の形態について、図６（ａ）および図６（ｂ）を用いて説明する。
本実施の形態の工具３００は、プレート部３１の先端にテーパ部３３を設けたこと以外は図５に示した工具３０と同一の構成を有する。テーパ部３３は、図６（ｂ）に示したように、プレート部３１の先端上面を、先端に向かってプレート部３１の厚みを低減させるテーパ面として形成されている。テーパ部３２の先端は、下方に反転させた状態におけるカバーの下端と肩部との間の隙間に差し込むことが可能な厚みを有する。
【００３８】
上述した本実施の形態の工具３００によれば、下方に反転させた状態のカバーの下端と肩部との間の隙間に工具３００のテーパ部３３の先端を差し込み、工具３００をカバーに向かって押し込めば、テーパ部３３によってカバーを押し上げて上方に反転させることができるので、嵌め合い部１９にプレート部３１の切欠き部３０ａを嵌合させるとともに、開放部３２ｃにカバーを取り付けることができる。
【００３９】
また、上述した本実施の形態の工具３００は、図３に示したような凸部４１および突出部４２を設けた吐出器１００に対して用いることが好適である。すなわち、図７に示すように、工具３００を用いて吐出器１００を取外し、取り付けるようにする場合には、工具３００のテーパ部３３によって凸部４１および突出部４２の係合を外してカバー２０を上方に反転させることが可能となるので、凸部４１および突出部４２の係合力を強めることができる。これにより、工具３００を持たない第三者に対しては、カバー２０を手で上方に反転させることを困難にできる一方で、工具３００を持つ管理者には、工具３００のテーパ部３３を用いて容易にカバー２０を上方へ反転できるようにすることができる。また、工具３００をカバー２０とともに回転させて装着キャップ１１を容器５０の口部５１から取り外した際に、カバー２０は凸部４１および突出部４２の係合により上方へ反転した状態を維持するので、工具３００がカバー２０の下方への反転によって下方へ押されて嵌め合い部１９から脱落してしまうといったおそれもないのである。
【００４０】
次に、本発明に係る容器用吐出器の工具のさらなる他の実施の形態について、図８（ａ）および図８（ｂ）を用いて説明する。
本実施の形態の工具３０１は、バンド部３２の上端部に径方向内側に延びる内向きフランジ３４を設けたこと以外は図６に示した工具３００と同一の構成を有する。
【００４１】
上述した本実施の形態の工具３０１によれば、工具３０１のプレート部３１を嵌め合い部１９に嵌合した状態で、内向きフランジ３４をポンプ機構Ｐのポンプリング１５の環状肩部１５ｅに上方から当接させることができるので、工具３０１をカバーとともに回転させて装着キャップを容器の口部から取り外した際に、工具３０１がカバーの下方への反転によって下方へ押されたとしても、工具３０１が嵌め合い部１９から脱落してしまうことがない。
【００４２】
また、上述した本実施の形態の工具３０１は、図１および図４に示したような吐出器に対して用いることが好適であるが、最も好適なのは、図４に示したような吐出器に対して用いることである。すなわち、図４に示したような吐出器に対して用いる場合は、図９に示すように、工具３０１をカバー２０とともに回転させて装着キャップ１１を容器５０の口部５１から取り外した際に、工具３０１がカバー２０の下方への反転によって下方へ押されるが、内向きフランジ３４がポンプリング１５の環状肩部１５ｅに上方から当接しているため、工具３０１が嵌め合い部１９から脱落することを防止することができ、その後の吐出器１０１の取り付け作業を容易化することができるのである。特に、図１に示したような、カバー２０が上下方向に反転容易な吐出器１０では工具が嵌め合い部から脱落しても比較的容易に再装着できるのに対し、図４に示したような、カバー２０の上方への反転が困難な吐出器１０１では工具が嵌め合い部から脱落すると再装着が困難であるので、本実施の形態の工具は、このような吐出器１０１に対して用いることが最も効果的である。
【００４３】
上述したところは、本発明の様々な実施形態であるが、本発明に従えば、様々な変更が可能となる。例えば、カバーは、ポンプリングに相対回転自在に抜け止め保持される構成であれば、ポンプリングの環状肩部の底面からカバーの環状止め部の上面を僅かに隙間を空けて配置するとともに、カバーの段差部をポンプリングの環状肩部の外周面から僅かに隙間をあけて配置する構成に限らず、他の構成でポンプリングに相対回転自在に抜け止め保持されてもよい。また、嵌め合い部は、工具を嵌めることができれば、例えば、六角柱形状など、その外観形状には、様々な形状を採用することができる。また、ポンプ機構は例示的なものであり、本形態に制限されることなく、様々な機構のものを採用することができる。例えば、容器用吐出器を、泡生成吐出器や噴霧吐出器に構成するポンプ機構を用いることもできる。さらに、本発明は、容器の口部に取り外し可能にねじ付けられる装着筒と、装着筒を保持するポンプ機構とを備える容器用吐出器であれば、据え置きタイプの容器に限定されることなく、他の容器にも採用することができる。また、内容物についても、シャンプーやリンス、整髪料に限らず、様々なものを採用することができる。
【符号の説明】
【００４４】
１０，１００，１０１  容器用吐出器
１１  装着キャップ（装着筒）
１２  シリンダ
１３  弾性部材
１４  ピストン
１５  ポンプリング（上端部材）
１５ａ  内筒部
１５ｂ  外筒部
１５ｃ  外周部
１５ｄ  ねじ部
１５ｅ  環状肩部
１５ｆ  環状壁部
１６  ノズルヘッド
１７  排出弁
１８  シール部材
１９  嵌め合い部
２０  カバー
２０ａ  カバー本体
２０ｂ  反転部
２０ｃ  段差部
２０ｄ  環状止め部
３０，３００，３０１  工具
３０ａ  切欠き部
３１  プレート部
３２  バンド部
３２ｃ  開放部
３３  テーパ部
３４  内向きフランジ
４１  凸部
４２，４３  突出部
５０  容器
５１  口部
６０  ポンプ容器
Ｐ  ポンプ機構
【図１】
2014008992.tif 000003
【図２】
2014008992.tif 000004
【図３】
2014008992.tif 000005
【図４】
2014008992.tif 000006
【図５】
2014008992.tif 000007
【図６】
2014008992.tif 000008
【図７】
2014008992.tif 000009
【図８】
2014008992.tif 000010
【図９】
2014008992.tif 000011